(57)【要約】【課題】  部品点数を増やすことなしにカバー開閉検知スイッチがカバーの開閉を正確に検知する防犯用センサ装置を提供する。【解決手段】  物体検知用の検知波ＩＲの送信または受信を行うセンサ素子１５，２３を含むセンサ本体４１と、センサ本体４１を覆うカバー４３とを備える。センサ本体４１にカバー開閉検知スイッチ３１が装着され、カバー４３に、このカバー４３の開閉動作に連動してカバー開閉検知スイッチ３１の作動子３１ａを移動させることでオン・オフさせるスイッチ操作片３４が設けられ、カバー開閉検知スイッチ３１の作動子３１ａの移動方向Ｑがカバー４３の開閉方向Ｐと直交するように設定されている。【選択図】  図２
2006309743.tif 000002
【特許請求の範囲】
【請求項１】
物体検知用の検知波の送信または受信を行うセンサ素子を含むセンサ本体と、前記センサ本体を覆うカバーとを備え、
前記センサ本体にカバー開閉検知スイッチが装着され、前記カバーに、このカバーの開閉動作に連動して前記カバー開閉検知スイッチの作動子を移動させることでオン・オフさせるスイッチ操作片が設けられ、前記カバー開閉検知スイッチの作動子の移動方向が前記カバーの開閉方向と直交するように設定されている防犯用センサ装置。
【請求項２】
請求項１において、前記カバー開閉検知スイッチは、回動する前記作動子によりスイッチのオン・オフを行うリミットスイッチである防犯用センサ装置。
【請求項３】
請求項１または２において、前記センサ本体は前記カバー側に突出する回路基板を有し、この回路基板に前記カバー開閉検知スイッチが装着されている防犯用センサ装置。
【請求項４】
請求項１，２または３において、前記カバーの内面に、前記スイッチ操作片を形成する操作用リブが一体形成されている防犯用センサ装置。
【発明の詳細な説明】
【技術分野】
【０００１】
本発明は、センサ本体に装着されてセンサ素子などを覆うカバーの開閉を検知するスイッチを有する防犯用センサ装置に関するものである。
【背景技術】
【０００２】
この種の防犯用センサ装置として、直線的な警戒区域の両端部に、赤外線ビームの投光部と受光部とを設置して、投光器と受光器との間で赤外線ビームを投受光し、赤外線ビームが人体に妨げられるのを検出することで人体を検知するものが知られている。この防犯用センサ装置では、投光部および受光部が、共にユニット化された図５に示すようなほぼ同一の外観形状を有している（例えば、特許文献１参照）。
【０００３】
図５において、センサ本体６０の前面側（図の左側）には、赤外線ビームの送信または受信を行うセンサ素子６１などが実装された第１の回路基板６２と、前記センサ素子６１に対向配置された光学系６３とを有する素子ユニット６４が設けられ、この素子ユニット６４が、センサ本体６０に着脱自在に装着されるカバー６５により覆われて保護されている。センサ本体６０には、カバー６５の開閉を検知するためのリミットスイッチからなるカバー開閉検知スイッチ６６が第２の回路基板６７に実装して設けられている。このカバー開閉検知スイッチ６６は、不法侵入者によるカバー６５の取り外しを検知して警備会社などに通報する警報信号を生成するためのタンパースイッチ、またはカバー６５の開閉を検知してセンサ回路における動作モードをカバー６５を取り外しての光軸調整モードと作動モードとに切り換える切換信号を発生させるためのモード切換スイッチのいずれかである。
【０００４】
前記カバー開閉検知スイッチ６６は、カバー６５がセンサ本体６０に装着されたときに、合成樹脂製のカバー６５にスイッチ操作片として一体形成されている操作用リブ６８の先端でカバー開閉スイッチ６６の作動子（アクチュエータ）６９が２点鎖線の図示位置から実線の図示位置に回動しながら押し下げられてオンすることにより、カバー６５の装着を検知し、逆に、操作用リブ６８の先端がカバー開閉スイッチ６６の作動子６９から離間してオフすることにより、カバー６５の開放を検知する。
【０００５】
【特許文献１】特開平１０−０３９０４３号公報
【発明の開示】
【発明が解決しようとする課題】
【０００６】
しかしながら、前記防犯用センサ装置の投光部または受光部は、カバー開閉検知スイッチ６６が、これの作動子６９の回動方向Ｒがカバー６５のセンサ本体６０に対する開閉方向Ｔと同じ方向となる配置で設けられているので、カバー６５をセンサ本体６０に完全に装着し終えた時点で操作用リブ６８が作動子６９を所定のストロークだけ回動させてカバー開閉検知スイッチ６６が確実にオンとなるように、操作用リブ６８とカバー開閉検知スイッチ６６の作動子６９との相対位置を正確に設定する必要がある。そのため、カバー開閉検知スイッチ６６の取り付けが煩雑となり、しかも、以下のような問題が生じる。
【０００７】
すなわち、図５において、防犯用センサ装置の投光部または受光部が装着される壁面のような設置面Ｓが平坦でなかった場合には、この設置面Ｓに取り付けられた合成樹脂製のセンサ本体６０が設置面Ｓの凹凸に対応して反った形状に変形することがある。この変形したセンサ本体６０にカバー６５の長手方向（この例では上下方向）の両端部を固定すると、操作用リブ６８と作動子６９の開閉方向Ｔにおける相対位置が所定位置からずれてしまい、カバー開閉検知スイッチ６６の作動不良を起こすことがある。
【０００８】
また、センサ本体６０の上端部に設けられた端子台７０には、これに取り付けられた複数の端子ねじ（図示ぜず）にそれぞれ配線（図示せず）が接続されており、カバー６５の装着時には、配線をカバー６５の内部に無理なく収容できるように嵩低くする必要がある。ここで、配線を嵩低くすることなくカバー６５を無理にセンサ本体６０に装着したような場合には、配線が盛り上がってカバー６５が浮き上がった状態でセンサ本体６０に装着されることがある。その結果、上述の設置面Ｓに凹凸がある場合と同様に、操作用リブ６８と作動子６９の開閉方向Ｔの相対位置がずれて、カバー開閉検知スイッチ６６が作動不良を起こす。
【０００９】
一方、従来では、カバー６５の操作用リブ６８にスプリングを取り付けて、カバー６５がセンサ本体６０に対し浮き上がった状態で装着された場合にも、操作用リブ６８と作動子６９の開閉方向Ｔの相対位置の変化をスプリングの伸縮により吸収して、カバー開閉検知スイッチ６６を確実にオンさせるように図ったものが提案されている。ところが、この防犯用センサ装置は、部品点数の増加による構成の複雑化に伴ってコスト高および信頼性の低下を招く。
【００１０】
本発明は、前記従来の問題に鑑みてなされたもので、部品点数を増やすことなしにカバー開閉検知スイッチによりカバーの開閉を正確に検知することができる防犯用センサ装置を提供することを目的としている。
【課題を解決するための手段】
【００１１】
前記目的を達成するために、本発明に係る防犯用センサ装置は、物体検知用の検知波の送信または受信を行うセンサ素子を含むセンサ本体と、前記センサ本体を覆うカバーとを備え、前記センサ本体にカバー開閉検知スイッチが装着され、前記カバーに、このカバーの開閉動作に連動して前記カバー開閉検知スイッチの作動子を移動させることでオン・オフさせるスイッチ操作片が設けられ、前記カバー開閉検知スイッチの作動子の移動方向が前記カバーの開閉方向と直交するように設定されている。
【００１２】
この構成によれば、カバー開閉検知スイッチが、これの作動子の移動方向がカバーの開閉方向、つまりスイッチ操作片の移動方向と直交する配置で設けられているから、カバー開閉スイッチを、カバーに対して、このカバーがセンサ本体に対し完全な装着状態になる直前にスイッチ操作片によりオンされる相対配置で設けても、前記オンされたのちにカバーの装着動作の継続に伴いスイッチ操作片が作動子に対しオン状態を保持し続けながら移動して完全な装着状態になる。そのため、カバー開閉検知スイッチのカバーに対する相対位置に余裕が生じて、カバーがセンサ本体に装着されたときにカバーとカバー開閉検知スイッチとの相対位置関係に若干のばらつきがあっても、このばらつきを吸収してカバー開閉検知スイッチがカバーの開閉を正確に検知することができる。また、カバー開閉検知スイッチを、これの作動子の移動方向がカバーの開閉方向に対し直交する配置に変更して設けるだけの構成であり、スプリングなどの他の部品を必要としないので、部品点数の増加を招かない。
【００１３】
本発明において、前記カバー開閉検知スイッチは、例えば、回動する前記作動子によりスイッチのオン・オフを行うリミットスイッチである。この構成によれば、カバー開閉検知スイッチを、回動する作動子の回動支点がカバー寄りに位置する配置で設ければ、カバーの装着時に、カバーのスイッチ操作片が、カバーの装着時に作動子を押し込みながら移動してカバー開閉検知スイッチをオンさせたのち、作動子に摺動してオン状態を保持しながら僅かに移動させて、カバー装着完了とすることができるので、カバー開閉検知スイッチが円滑、かつ、正確にオン・オフされる。
【００１４】
また、本発明において、前記センサ本体は前記カバー側に突出する回路基板を有し、この回路基板に前記カバー開閉検知スイッチが装着されている。この構成によれば、カバーの開閉方向に対し平行に設けられた回路基板にカバー開閉検知スイッチを装着することで、カバー開閉検知スイッチを、自身の作動子の移動方向がカバーの開閉方向と直交するように容易に配置できる。
【００１５】
本発明において、前記カバーの内面に、前記スイッチ操作片を形成する操作用リブが一体形成されている。この構成によれば、カバーに一体形成された操作用リブとカバー開閉検知スイッチとの相対位置を正確に設定することができるとともに、部品点数の増加が抑制される。
【発明の効果】
【００１６】
本発明の防犯用センサ装置によれば、カバー開閉検知スイッチを、これの作動子の移動方向がカバーの開閉方向に対し直交するように配置することにより、カバー開閉検知スイッチのカバーに対する相対位置に余裕を持たせたることができるので、カバーとカバー開閉検知スイッチとの相対位置関係に若干のばらつきがあっても、このばらつきを吸収してカバー開閉検知スイッチによりカバーの開閉を正確に検知することができる。
【発明を実施するための最良の形態】
【００１７】
以下、本発明の好ましい実施形態について図面を参照しながら詳細に説明する。
図１は本発明の第１実施形態に係る防犯用センサ装置を示すブロック図である。この防犯用センサ装置は、直線的な警戒区域の両端側の壁面またはポールに互いの光軸を一致させて相対向する配置で設置される投光部１と受光部２とからなる能動型の赤外線検知装置であり、赤外線ビームＩＲが人体検知用の検知波として投受光される。前記投光部１および受光部２は、後述するように共にユニット化された構成になっている。
【００１８】
投光部１は、投光側素子ユニット１１、投光駆動回路１２、投光抑制回路１３および投光側カバー開閉検知スイッチ１４を有している。前記素子ユニット１１、投光駆動回路１２および投光抑制回路１３はそれぞれ複数、例えば一対設けられているが、図１では一つのみを示している。素子ユニット１１は、赤外線発光ダイオードなどの発光素子１５と近赤外線のような赤外線ビームＩＲを形成するための投光レンズまたは反射ミラーのような送信側光学系１６とを備えて、投光器として構成されている。投光駆動回路１２は、発光素子１５を所定の周波数で発光駆動してパルス変調波からなる赤外線ビームＩＲを出射させる。投光側カバー開閉検知スイッチ１４は、後述のカバーのセンサ本体に対する開閉を検出するリミットスイッチである。投光抑制回路１３は、カバー開閉検知スイッチ１４がカバーの開放を検出したときに、発光素子１５から出射する赤外線ビームＩＲがカバーによる減衰透過分だけ低減する駆動電力を発光素子１５に対し供給するように投光駆動回路１２を制御する。
【００１９】
一方、受光部２では、受信側素子ユニット２１が、受光レンズまたは集光ミラーのような受信側光学系２２とフォトトランジスタなどの受光素子２３とを備えて、受光器として構成されている。この受信側素子ユニット２１は、投光部１からの赤外線ビームＩＲを受光して、その赤外線受光量に応じた電気信号を出力する。この電気信号は、増幅回路２４で増幅されたのち、検波回路２５で外乱光が除去されてパルス変調波のみによる受光信号のレベルに応じた信号に変換され、この信号レベルが設定検知レベル以下であるか否かを信号判別回路２６で判別される。投光部１からの赤外線ビームＩＲが不法侵入者により遮られて受光信号レベルが予め設定された検知レベル以下になったときには、信号判別回路２６から検知信号が出力されて警報回路２７が駆動され、不法侵入者が存在することを報知するための警報信号が警報回路２７から、例えば図示しない警備センターへ出力されるようになっている。
【００２０】
また、検波回路２５に接続された電圧計などのレベルメータ２９には、素子ユニット２１の赤外線受光量に比例した信号レベルが表示される。さらに、増幅回路２４は、素子ユニット２１からの受光信号の信号レベルに応じてＡＧＣ回路３０により利得制御されて、出力が常に一定の信号レベル以下になるように制御される。素子ユニット２１、増幅回路２４、検波回路２５、信号判別回路２６およびレベルメータ２９もそれぞれ複数、例えば一対設けられているが、図１では一つのみを示している。受光部２は、さらに、受光側カバー開閉検知スイッチ３１と受光レベル抑制回路３２とを有している。受光側カバー開閉検知スイッチ３１は、後述のカバーのセンサ本体に対する開閉を検出するリミットスイッチである。受光レベル抑制回路３２は、カバー開閉検知スイッチ３１がカバーの開放を検出したときに、ＡＧＣ回路３０を介して増幅回路２４の利得を下げさせることにより、増幅回路２４に対し、素子ユニット２１からの受光信号の信号レベルをカバーによる減衰透過分だけ低減して増幅するように制御する。
【００２１】
前記投光部１および受光部２は、上述したように共にユニット化されたほぼ同様の構成を有している。そこで、図２（ａ），（ｂ）に示す受光部２を代表として説明する。この受光部２は、図２（ａ）に示す壁面やポールなどの設置面Ｓに装着される樹脂製のセンサ本体４１と、このセンサ本体４１のベース４２に着脱自在に装着される樹脂製のカバー４３とを有している。
【００２２】
受光側の素子ユニット２１は、受光レンズからなる上下一対の受信側光学系２２がユニットケース４５に保持され、そのユニットケース４５の内部に、第１の回路基板４６が装着されており、各受信側光学系２２の後方に位置して受光素子２３が第１の回路基板４６に実装して配置されている。ベース４２に装着された第２の回路基板４７には、図１に示した構成のセンサ回路２１，２４〜２７，２９〜３２が実装されている。
【００２３】
防犯用センサ装置の設置時やメンセナンス時の光軸調整に際しては、カバー４３が取り外され、それにより赤外線ビームＩＲの投光量および受光量が共にカバー４３による透過減衰分だけ増大して、赤外線ビームＩＲの信号レベルが高くなり過ぎ、図１のＡＧＣ回路３０の飽和や設置面Ｓでの赤外線ビームＩＲの反射などに起因して、光軸が不一致であっても受光信号が所定レベル以上となり、正確な光軸合わせが困難になる場合がある。そこで、カバー開閉検知スイッチ１４，３１がカバー４３の開放を検知したときには、図１の投光抑制回路１３および受光レベル抑制回路３２により、通常の作動状態での受光信号の信号レベルからカバー４３による赤外線ビームＩＲの透過減衰分だけ差し引いた信号レベルになるよう制御している。したがって、この防犯用センサ装置では、カバー４３の開閉をカバー開閉検知スイッチ１４，３１で正確に検知する必要がある。
【００２４】
前記ベース４２の前面側上部には、端子台６が固定されており、この端子台６の内部には、第３の回路基板４８が、カバー４３側に突出する水平方向、すなわち設置面Ｓに接触するセンサ本体４１のベース４２の取付面４２ａに直交する方向の配置で設けられている。この第３の回路基板４８には、リミットスイッチからなる前記カバー開閉検知スイッチ３１が、これの作動子３１ａの回動ストロークの方向Ｑがカバー４３の開閉方向Ｐと直交する配置で取り付けられている。このように、カバー４３の開閉方向Ｐに対し平行に設けられた第３の回路基板４８にカバー開閉検知スイッチ３１を装着することで、カバー開閉検知スイッチ３１を、自身の作動子３１ａの回動方向Ｑがカバー４３の開閉方向Ｐと直交する配置で設けている。
【００２５】
図３（ａ），（ｂ）はカバー４３を取り外した状態のセンサ本体４１の平面図および正面図を示す。同図において、前記ベース４２の前面側下端には支持部材７が固着されており、この支持部材７には、断面ほぼＵ字形状の保持体８が縦軸９の回りに回動自在に片持ち式に支持されている。さらに、保持体８には、素子ユニット２１が左右の横軸１０（図２）回りに回動自在に取り付けられている。前記縦軸９は例えばねじ体であり、横軸１０はピンである。
【００２６】
したがって、素子ユニット２１は、縦軸９の回りに保持体８を介し回動することによって水平偏向角が可変調整され、かつ、横軸１０回りに回動することによって上下偏向角が可変調整され、それにより、図１の投光部１の素子ユニット１１に対する光軸合わせができるようになっている。この光軸調整は後述の照準器を用いて行われる。
【００２７】
図２に示すように、前記縦軸９には保持体８を介して素子ユニット２１の水平偏向角を調整する操作を行うためのダイヤル３５が固定されている。また、図３（ｂ）に示すように、保持体８の下端近傍の前面側には調整ねじ１９が回転自在に支持され、その調整ねじ１９は、ユニットケース４５の下部に形成された突部（図示せず）にねじ込まれている。したがって、ダイヤル３５を回転操作すれば、縦軸９回りに回動自在の保持体８を介して素子ユニット２１の水平偏向角を調整でき、かつ、調整ねじ１９を回転操作すれば、横軸１０回りに回動自在のユニットケース４５を介して素子ユニット２１の上下偏向角を調整することができる。
【００２８】
図３に示す素子ユニット２１のユニットケース４５における上下方向の中央部には、光軸調整を行うための公知の照準器３６が設けられている。この照準器３６は、照準器ケース３７に設けられた左右一対ののぞき窓３８と、前側正面の左右に設けられた一対の照準孔３９と、照準器ケース３７内に設けられた左右一対の反射ミラー（図示せず）とを備えている。この照準器３６は、カバー４３を開放した状態で、のぞき窓３８からのぞきながらダイヤル３５または調整ねじ１９を手動操作して素子ユニット２１の水平偏向角または上下偏向角を調整し、前記反射ミラーに映る図１の投光部１の素子ユニット１１の像と図３（ｂ）の照準孔３９とが重なるように操作することにより、光軸の粗調整を行うようになっている。この粗調整につづいて、図１のレベルメータ２９の表示を見ながら表示レベルが最大値になるよう、図３（ｂ）のダイヤル３５および調整ねじ１９を調整して光軸の微調整を行い、図１のレベルメータ２９の表示が所定レベル以上になるまで、つまり受光部２の光軸が投光部１に正確に一致するまで、投光部１および受光部２の光軸調整を必要に応じて複数回繰り返す。なお、投光部１も上述した受光部２と同様の構成になっている。
【００２９】
前記受光部２では、センサ本体４１が反った形状に変形されて取り付けられたり、内部配線が盛り上がって状態になることなどに起因して、カバー４３がセンサ本体４１に対し正規の相対位置からずれた位置で装着された場合であっても、カバー４３の装着を確実に検知できるように図っている。すなわち、図２（ａ）に示すように、カバー開閉検知スイッチ３１は、これの作動子３１ａの回動ストロークの回動方向Ｑがカバー４３の開閉方向Ｐと直交する配置で取り付けられている。また、図３（ｃ）に示すように、第３の回路基板４８を保持する端子台６には、これの右端近傍箇所の上部に、前方、上方および右方に開口したガイド凹所１７が形成されている。このガイド凹所１７の左側面１７ａおよび底面１７ｂが、後述する操作用リブ３４をガイドするガイド面となる。左側面１７ａは前後方向Ｆおよび上下方向Ｖに平行であり、底面１７ｂは前後方向Ｆおよび左右方向Ｗに平行である。前記底面１７ｂに、挿通孔２０が形成され、この挿通孔２０に、カバー開閉検知スイッチ３１の作動子３１ａが挿通してガイド面１８の上面よりも上方に突出する。さらに、ガイド凹所１７の後側に逃げ孔３３が形成されている。
【００３０】
一方、図４に示すように、カバー４３の内面における、図２（ａ）のセンサ本体４１への装着時に前記ガイド凹所１７に対応する箇所に、カバー開閉検知スイッチ３１の作動子３１ａのスイッチ操作片として機能する操作用リブ３４が一体形成されている。また、図４のカバー４３の上端および下端には、このカバー４３をセンサ本体４１に取り付けるための係止フック片５１およびねじ挿通孔５２を有するボス５３が形成されている。このように、カバー４３の内面に操作用リブ３４が一体形成されていることにより、操作用リブ３４とカバー開閉検知スイッチ３１との相対位置を正確に設定することができるので、操作用リブ３４が、カバー４３の開閉動作に一体的に連動してカバー開閉検知スイッチ３１の作動子３１ａを確実にオン・オフさせる。
【００３１】
カバー４３をセンサ本体４１に装着するに際しては、カバー４３の係止フック片４０を図２（ａ）のセンサ本体のベース４２の係止片（図示せず）に掛け止めしたのちに、カバー４３をベース４２に嵌め込む。このとき、カバー４３の操作用リブ３４は、ガイド面である底面１７ｂ上を摺動して後方に向け移動する際に、図３（ｃ）の挿通孔２０を通って上方に突出した作動子３１ａに対し摺動しながら、図２（ｂ）のように作動子３１ａを挿通孔２０内に押し込み、先端が図３（ｃ）の逃げ孔３３内に入り込んで停止する。ここで、カバー開閉検知スイッチ３１は、作動子３１ａの回動支点３１ｂ（図２（ａ））がカバー４３寄りに位置する配置で設けられており、カバー４３の装着時に、カバー４３の操作用リブ３４が、自身の移動経路から作動子３１ａを押し込む状態で回動させながら移動して、カバー４３がセンサ本体４１に完全な装着状態になる直前にカバー開閉検知スイッチ３１をオンさせる。そののち、操作用リブ３４が作動子３１ａ上を摺動してオン状態を保持しながら僅かに移動してカバー４３の装着が完了する。
【００３２】
このように、カバー４３の装着前に操作用リブ３４によりカバー開閉検知スイッチ３１がオンされる相対配置となっているので、カバー開閉検知スイッチ３１と完全装着時のカバー４３との相対位置の設定に余裕が生じることになる。このような余裕は、図５に示した従来のセンサ装置では、カバー６５の開閉方向Ｔと作動子６９の移動方向Ｒが同一であるために作動子６９と操作用リブ６８の相対位置を正確に設定する必要があるために、生じえない。したがって、この実施形態では、図２（ａ）のセンサ本体４１が平坦面でない設置面Ｓに装着されて反った形状に変形されたり、あるいは端子台６に接続された配線（図示せず）が盛り上がってカバー４３を前方へ押し出すように作用して、カバー４３がセンサ本体４１に装着されたときにカバー４３とカバー開閉検知スイッチ３１の作動子３１ａとの間に隙間が生じるなどして、両者４３，３１の相対位置関係に若干のばらつきが生じても、このばらつきを吸収してカバー開閉検知スイッチ３１がカバー４３の開閉を正確に検知することができる。
【００３３】
しかも、この防犯用センサ装置は、カバー開閉検知スイッチ３１を、これの作動子３１ａの移動方向（この場合は回動方向）Ｑがカバー４３の開閉方向Ｐに対し直交する配置に変更して設けるだけであるから、スプリングなどの他の部品を何ら設ける必要がなく、部品点数の増加を招かない。
【００３４】
本発明は、防犯用センサ装置における前記実施形態で例示した受光部２以外に、投光部１にも適用することができ、その他に、遠赤外線を検知する受動型の赤外線検知器、超音波、マイクロウェーブなどを使用した防犯用センサ装置にも適用できる。
【図面の簡単な説明】
【００３５】
【図１】本発明の一実施形態に係る防犯用センサ装置を示すブロック図である。
【図２】（ａ）〜（ｃ）は同上の防犯用センサ装置における受光部を示す一部破断した分解右側面図および一部破断した右側面図である。
【図３】（ａ）〜（ｃ）はそれぞれ同上の受光部のセンサ本体を示す平面図、正面図および要部の斜視図である。
【図４】同上の受光部のカバーを示す斜視図である。
【図５】従来の防犯用センサ装置を示す一部破断した右側面図である。
【符号の説明】
【００３６】
１４  カバー開閉検知スイッチ（リミットスイッチ）
１５  発光素子（センサ素子）
２３  受光素子（センサ素子）
３１  カバー開閉検知スイッチ（リミットスイッチ）
３１ａ  作動子
３４  操作用リブ（スイッチ操作片）
４１  センサ本体
４３  カバー
４８  第３の回路基板（回路基板）
ＩＲ  赤外線ビーム（検知波）
Ｐ  カバー開閉方向
Ｑ  回動方向（作動子の移動方向）
【図１】
2006309743.tif 000003
【図２】
2006309743.tif 000004
【図３】
2006309743.tif 000005
【図４】
2006309743.tif 000006
【図５】
2006309743.tif 000007